(57)【要約】      （修正有）【課題】蛍光管照明器具のソケットの角度や向きに係わらずＬＥＤから照射される光が鉛直方向である真下を照射するように設定することを可能にするとともに、盗難や脱落破損を防止し安全性の向上とメンテナンス性の向上を実現した蛍光管型ＬＥＤ照明灯を提供する。【解決手段】蛍光管型ＬＥＤ照明灯の本体１を構成する端子キャップ２の突出片を、端子ケース３に備えられた複数の凹部の内何れかに選択可能に嵌入するように構成したことにより、蛍光管照明器具のソケットの角度や向きに係わらずＬＥＤから照射される光が鉛直方向である真下を照射するように設定することが可能な蛍光管型ＬＥＤ照明灯を構成する。また、ロック部材により盗難や脱落の防止を実現した。さらに取り外し治具によりロック部材を容易に外してメンテナンス性を向上させた。【選択図】図１
0003156292.tif 000002
【実用新案登録請求の範囲】
【請求項１】
直管型の蛍光灯器具に蛍光管と代替して取り付け可能な蛍光管型ＬＥＤ照明灯において、ＬＥＤユニットを内装した透明カバーと、その両端部に備えた端子キャップと端子ケースとからなる蛍光管型ＬＥＤ照明灯であって、外形を円筒または円柱状として長手方向の一方の端部に蛍光灯器具のソケットに接続するための２本の端子を突出させ、逆側の端部には鍔状にフランジ部を突出させるとともに、該フランジ部の円周の１カ所からさらに円周外方に向けて突出片を延設して構成した端子キャップと、該端子キャップを内側から嵌入可能な中央開孔部を備えるとともに、該中央開孔部の周囲には該端子キャップのフランジ部を係合するためのフランジ受部と該突出片を嵌入するための複数の凹部を備えた端子ケースとから構成し、該端子キャップの該突出片を、該端子ケースの複数の凹部の内何れかに選択可能に取り付けることを特徴とする蛍光管型ＬＥＤ照明灯。
【請求項２】
外形を円筒または円柱状とした該端子キャップの外周面かつ軸方向に、凹状の溝を備えるとともに、該端子キャップに嵌入装着するロック部材を備え、該ロック部材は、内径を該端子キャップと略同一径にしたＣ字状部と、該Ｃ字状部の開放された両端部からその内面側の幅を端子キャップの直径よりも若干狭く下方に延設した一対の脚部とからなり、該Ｃ字状部の内面側の頂点には、該端子キャップの溝に係合するための一条の凸状部を備え、該一対の脚部には、その開放側端部に水平方向かつ外方に向けてＬ字状に延設した座部と、その長さ方向の中間に外方に向けて左右対称に突出させた傾斜部と顎部を突出して構成したことを特徴とする請求項１に記載の蛍光管型ＬＥＤ照明灯。
【請求項３】
該ロック部材の顎部に係合する一対のフック部と該一対のフック部から延設されたグリップ部とからなる取り外し治具を備えたことを特徴とする請求項１または請求項２の何れかに記載の蛍光管型ＬＥＤ照明灯。
【考案の詳細な説明】
【技術分野】
【０００１】  本考案は、蛍光管型のＬＥＤ照明灯に関し、特に一般的な直管型の蛍光灯器具に取り付け可能なＬＥＤ照明灯で、照射方向を調整可能として手暗がり状態になることを解消するとともに盗難及び脱落防止、メンテナンス性の向上を実現した構造に関する。
【背景技術】
【０００２】  近年、電気の消費抑制や、地球温暖化ガスの排出削減が叫ばれる中、照明器具においては、低消費電力で高効率な蛍光灯が従来から多用されているが、ＬＥＤの輝度向上により蛍光管と同一形状にして既存の蛍光灯器具に代替して取り付け可能なＬＥＤ照明灯が製品化されている。【０００３】  図１９は、従来の蛍光管型のＬＥＤ照明灯を示す図である。既存の蛍光灯器具にそのまま取り付けることができるように、端子部分など蛍光管と同一のサイズで構成され透明カバーの内部に備えた基板上にＬＥＤを配置してなるものが一般的である。【０００４】  図２０から図２２は、従来の蛍光管型のＬＥＤ照明灯の使用状態を示す図であって、一般的に用いられている蛍光灯器具に、従来の蛍光管型のＬＥＤ照明灯を取り付けた状態を示している。【０００５】  図２０は、天井に取り付けられる蛍光灯器具であって、反射板が天井面と平行で蛍光管端部の端子２本が水平方向になるようにソケットが配置されているものである。このような蛍光灯器具に蛍光管型のＬＥＤ照明灯を取り付けた場合、光は真下に照射されるので手暗がりになるようなことはなく照明器具としての目的は達成される。【０００６】  図２１は、同じく天井に取り付けられる蛍光灯器具であって、反射板が山型（逆富士型とも称される）の傾斜面となっている。蛍光管端部の端子２本が該傾斜面に対して平行になるようにソケットが配置されているものである。このような蛍光灯器具に蛍光管型のＬＥＤ照明灯を両側に取り付けた場合、それぞれの光は真下ではなく斜め外方に照射されるため、真下は手暗がりの状態となり、照明器具としての目的を達成できない。【０００７】  図２２は、垂直な壁面に取り付けられる蛍光灯器具であって、反射板が壁面と平行で蛍光管端部の端子２本が垂直方向になるようにソケットが配置されているものである。このような蛍光灯器具に蛍光管型のＬＥＤ照明灯を取り付けた場合、光は水平方向に照射される。そのような照射方向を目的とした照明器具であれば良いが、そうでない場合は真下が手暗がりの状態となり、照明器具としての目的を達成できない。【０００８】  蛍光管は放電で発生する紫外線をガラス管の内面に塗布された蛍光体に当てることで、蛍光管のガラス部分全体が光を発する。このため照射の方向性が生じず３６０度全方向に光が照射されるが、蛍光管型のＬＥＤ照明灯は、基板の片側面に配置したＬＥＤから光を発するので必然的に照射の方向性が生じる。そのため、図２０から図２２に示した既存の蛍光灯器具にそのまま取り付けると、前述したように本来照らす必要がある真下が手暗がりとなり照明器具としての目的を達せないといった不都合が生じる。また、従来の蛍光灯機器及び蛍光管型のＬＥＤ照明灯は、盗難や脱落防止の対策がなされておらず、特に高価格な蛍光管型のＬＥＤ照明灯の場合は、盗難や脱落事故が生じればＬＥＤ照明灯自体の損害額も大きなものになり、かつ安全性の課題も生じる。そこで、それら課題を解消するために以下に示す技術が提案されている。【０００９】  例えば、特開２００７−１２３２２号公報（特許文献１）に開示された「ＬＥＤ式照明装置」は、透明円筒パイプの両端に端部パイプを相互に回転可能に嵌め込んで構成したも��で、蛍光灯器具の照射面が一方向に決められている場合であっても、照明装置を既存の蛍光灯器具に装着した後、透明円筒パイプを回してその光照射面を任意の方向に変えることを可能にしたものである。また、透明円筒パイプの両端部に備えられた金属ボールが、端部パイプに備えられた小さい孔に嵌入するようにして回転方向の位置決めの節度感が得られるように構成している。【００１０】  また、実用新案登録第３１４７６０８号公報（特許文献２）に開示された「蛍光灯代替ＬＥＤランプ」の請求項３は、ランプ本体の直管長軸を中心として、支持部に対して回転可能に構成してＬＥＤ素子から発せられる光の照射角度を調整することを可能にした。これにより、光を均一に照射させたり、使用用途や、部屋の形状に合わせて照射角度を調整することを可能としたものである。また、回転部の構造については、実施形態３の段落番号００３５に記載されているが特に詳細な構造については述べられていない。【００１１】  さらに、特開平９−１０２２１１号公報（特許文献３）に開示された「照明器具のランプ保持構造」は、地震などの振動時にランプソケットからのランプの脱落を防止するための技術に関するもので、バネ付勢されたソケットで蛍光管を接続する照明器具において、蛍光管が照明器具に接続された後の蛍光管ソケット部にランプ移動防止具を備えたことで脱落を防止する構成としている。また、請求項２ではランプ移動防止具は、バネ性を有する略Ｃリング状に形成してワンタッチで装着することを可能にしたものである。
【先行技術文献】
【特許文献】
【００１２】
【特許文献１】  特開２００７−１２３２２号公報
【特許文献２】  実用新案登録第３１４７６０８号公報
【特許文献３】  特開平９−１０２２１１号公報
【考案の概要】
【考案が解決しようとする課題】
【００１３】  ところで、特許文献１のＬＥＤ式照明装置にあっては、透明円筒パイプを回すことでいつでも光照射面を任意の方向に変えることが可能であるが、一端装着してしまえば光照射面を任意の方向に変えることは希である。それにも係わらずいつでも光照射面を任意の方向に変えるために部品点数を多くしてなることは、もともと高価格であるものをさらに高価格にする要因となっている。また、従来の蛍光灯機器に蛍光管と同様に簡単に着脱できることから、盗難の恐れ、清掃などの際に誤って落下破損させる恐れ、地震の際の振動による落下破損の恐れなど安全面からの課題も生じる。【００１４】  また、特許文献２の蛍光灯代替ＬＥＤランプにあっても、回転部の詳細な構造については述べられていないが、特許文献１と同様の課題が生じる。【００１５】  さらに、特許文献３の照明器具のランプ保持構造にあっては、バネ付勢されたソケットで蛍光管を接続する照明器具に対してのみ有効な落下防止の技術であり、蛍光管が照明器具に接続された後の蛍光管ソケット部にランプ移動防止具を装着することで蛍光管の移動を抑止することで脱落を防止するものであるが、容易に外すことも可能であるため、盗難防止としては用をなさず、あくまでもバネ付勢されたソケットに蛍光管を接続する照明器具に対して地震などの振動時にソケットからの脱落を防止するための技術に過ぎない。【００１６】  そこで本考案は、簡易かつ低コストな構造で、蛍光管照明器具のソケットの角度や向きに係わらずＬＥＤから照射される光が鉛直方向である真下を照射するように設定することを可能にするとともに、盗難や脱落破損を防止し、安全性の向上とメンテナンス性の向上を実現した蛍光管型ＬＥＤ照明灯を提供することを目的とするものである。
【課題を解決するための手段】
【００１７】  直管型の蛍光灯器具に蛍光管と代替して取り付け可能な蛍光管型ＬＥＤ照明灯において、ＬＥＤユニットを内装した透明カバーと、その両端部に備えた端子キャップと端子ケースとからなる蛍光管型ＬＥＤ照明灯であって、外形を円筒または円柱状として長手方向の一方の端部に蛍光灯器具のソケットに接続するための２本の端子を突出させ、逆側の端部には鍔状にフランジ部を突出させるとともに、該フランジ部の円周の１カ所からさらに円周外方に向けて突出片を延設して構成した端子キャップと、該端子キャップを内側から嵌入可能な中央開孔部を備えるとともに、該中央開孔部の周囲には該端子キャップのフランジ部を係合するためのフランジ受部と該突出片を嵌入するための複数の凹部を備えた端子ケースとから構成し、該端子キャップの該突出片を、該端子ケースの複数の凹部の内何れかに選択可能に取り付けることで解決される。【００１８】  また、外形を円筒または円柱状とした該端子キャップの外周面かつ軸方向に、凹状の溝を備えるとともに、該端子キャップに嵌入装着するロック部材を備え、該ロック部材は、内径を該端子キャップと略同一径にしたＣ字状部と、該Ｃ字状部の開放された両端部からその内面側の幅を端子キャップの直径よりも若干狭く下方に延設した一対の脚部とからなり、該Ｃ字状部の内面側の頂点には、該端子キャップの溝に係合するための一条の凸状部を備え、該一対の脚部には、その開放側端部に水平方向かつ外方に向けてＬ字状に延設した座部と、その長さ方向の中間に外方に向けて左右対称に突出させた傾斜部と顎部を突出して構成したことで解決される。【００１９】  さらに、該ロック部材の顎部に係合する一対のフック部と該一対のフック部から延設されたグリップ部とからなる取り外し治具を備えたことで解決される。
【考案の効果】
【００２０】  ＬＥＤユニットを内装した透明カバーと、その両端部に備えた端子キャップと端子ケースとからなる蛍光管型ＬＥＤ照明灯の、該端子キャップの該突出片を、該端子ケースの複数の凹部の内何れかに選択可能に取り付けるように構成したことにより、蛍光管照明器具のソケットの角度や向きに係わらずＬＥＤから照射される光が鉛直方向である真下を照射するように設定することが可能な蛍光管型ＬＥＤ照明灯を提供することが可能となった。【００２１】  また、外形を円筒または円柱状とした該端子キャップの外周面かつ軸方向に、凹状の溝を備えるとともに、内径を該端子キャップと略同一径にしたＣ字状部と、該Ｃ字状部の開放された両端部からその内面側の幅を端子キャップの直径よりも若干狭く下方に延設した一対の脚部とからなり、該Ｃ字状部の内面側の頂点には、該端子キャップの溝に係合するための一条の凸状部を備え、該一対の脚部には、その開放側端部に水平方向かつ外方に向けてＬ字状に延設した座部と、その長さ方向の中間に外方に向けて左右対称に突出させた傾斜部と顎部を突出して構成したロック部材を、蛍光管型ＬＥＤ照明灯の端子キャップに嵌入装着することで、蛍光灯器具から蛍光管型ＬＥＤ照明灯本体を取り外すこと、誤って脱落させること、地震の際の振動での落下を確実に防止して安全性の向上を実現した蛍光管型ＬＥＤ照明灯を提供することが可能となった。【００２２】  さらに、該ロック部材の顎部に係合するフック部と該フック部から延設されたグリップ部とからなる取り外し治具を用いることによって、端子キャップに嵌入装着されたロック部材を、簡単に取り外すことを可能として蛍光灯器具や蛍光管型ＬＥＤ照明灯の本体のメンテナンス性の向上を実現した。
【図面の簡単な説明】
【００２３】
【図１】本考案の第１の実施例の斜視図である。
【図２】本考案の第１の実施例の正面図である。
【図３】本考案の第１の実施例の断面図である。
【図４】端子キャップの詳細を示す図である。
【図５】端子ケースの詳細を示す図である。
【図６】蛍光灯器具に取り付けた状態を示す図である。
【図７】蛍光灯器具に取り付けた状態を示す図である。
【図８】蛍光灯器具に取り付けた状態を示す図である。
【図９】本考案の第２の実施例の正面図である。
【図１０】本考案の第２の実施例の使用状態を示す斜視図である。
【図１１】蛍光灯器具に取り付けた状態を示す図である。
【図１２】蛍光灯器具に取り付けた状態を示す図である。
【図１３】蛍光灯器具に取り付けた状態を示す図である。
【図１４】蛍光灯器具に取り付けた状態を示す図である。
【図１５】蛍光灯器具に取り付けた状態を示す図である。
【図１６】本考案の第３の実施例の正面図である。
【図１７】本考案の第３の実施例の使用状態を示す斜視図である。
【図１８】本考案の第３の実施例の使用状態を示す斜視図である。
【図１９】従来の蛍光管型のＬＥＤ照明灯を示す図である。
【図２０】従来の蛍光管型のＬＥＤ照明灯の使用状態を示す図である。
【図２１】従来の蛍光管型のＬＥＤ照明灯の使用状態を示す図である。
【図２２】従来の蛍光管型のＬＥＤ照明灯の使用状態を示す図である。
【考案を実施するための形態】
【実施例１】
【００２４】  次に、本考案の蛍光管型ＬＥＤ照明灯の第１の実施例について、図面を参照して詳細に説明する。図１は本考案の蛍光管型ＬＥＤ照明灯の斜視図、図２は正面図、図３は図２の断面図である。なお、蛍光管は長いので片側端部（左側）のみ示す。【００２５】  本考案の蛍光管型ＬＥＤ照明灯の本体（１）は、図１乃至図３に示されるように、端子キャップ（２）、端子ケース（３）、透明カバー（４）と、ＬＥＤユニットとしてＬＥＤ（５）、基板（６）、金属板（７）とからなり、直管型の蛍光管照明器具のソケットに蛍光管の代替として取り付けられるように、その全体の長さや端子のサイズなどを蛍光管と同一のサイズで構成している。【００２６】  端子キャップ（２）は、耐熱性や強度、耐久性に優れたＡＢＳ樹脂などから形成され、端子ケース（３）に開孔された中央開口部（３ａ）に内側から嵌入して係合される。透明カバー（４）は、アクリル系やスチレン系の透明度や強度に優れた樹脂から形成され、その内部に長手方向全体にわたってＬＥＤユニットを配設している。ＬＥＤユニットは、ＬＥＤ（５）と、ＬＥＤ（５）を取り付けるためのガラスエポキシ系などの材質からなる基板（６）と、該基板（６）のＬＥＤとは反対面に面接触してＬＥＤ（５）から発せられる熱を放熱するためと、端子ケース（３）と連結するための構造材としてのスチールなどの金属板（７）とから構成される。金属板（７）は、端子ケース（３）内部まで延設され、端子ケース（３）に開孔されたネジ孔（３ｈ）から固定ネジ（７ａ）で金属板（７）のネジ孔に固定することで蛍光管型ＬＥＤ照明灯の本体（１）としての全体が組み立てられる。【００２７】  図４は、端子キャップ（２）の詳細を示す図であり、正面、背面、右側面、Ａ−Ａ線断面を示した。円柱状または円筒状の端子キャップ（２）の軸方向（長手方向）の端部円周部分にはフランジ（２ｂ）と、該フランジ（２ｂ）から突出して延設された突出片（２ｃ）が備えられ、後述する端子ケース（３）の内側に備えられた複数の凹部の内何れかを選択して嵌入する。【００２８】  図５は、端子ケース（３）の詳細を示す図であり、図４と同様に正面、背面、右側面、Ａ−Ａ線断面を示した。図５の正面図及び背面図の中央には、端子キャップ（２）を嵌入するための中央開孔部（３ａ）を開孔する。中央開孔部（３ａ）の内側周囲には、端子キャップ（２）のフランジ（２ｂ）を係合するためのフランジ受部（３ｂ）と係合部（３ｃ）を備えて係合部（３ｃ）の爪（図示せず）によっていわゆるパッチン嵌めで両者は係合される。このとき、前記した複数の凹部は背面図に示されるように、第１凹部（３ｄ）、第２凹部（３ｅ）、第３凹部（３ｆ）、第４凹部（３ｇ）がフランジ受部（３ｂ）と同一面に備えられる。この複数の凹部の何れかに、端子キャップ（２）を円周方向に回転させて前記フランジ（２ｂ）から突出して延設された突出片（２ｃ）を嵌入することで、端子ケース（３）への端子キャップ（２）の取り付け角度を変位させて、蛍光管照明器具のソケットの角度や向きに係わらずＬＥＤから照射される光が鉛直方向である真下を照射するように設定することが可能となる。【００２９】  図６は、反射板（１１ｂ）が天井面と平行で蛍光管端部の端子２本が該反射板（１１ｂ）と平行かつ水平方向になるようにソケット（１１ａ）が配置されている蛍光灯器具（１１）に、蛍光管型ＬＥＤ照明灯の本体（１）を接続した状態を示す図である。図６（Ａ）は、本体（１）と蛍光灯器具（１１）の位置関係を示す図であり、図６（Ｂ）は、端子ケース（３）を内側から見た状態で、端子キャップ（２）の突出片（２ｃ）と端子ケース（３）の凹部の位置関係を示す図である。この図の場合、端子ケース（３）の第２凹部（３ｅ）に端子キャップ（２）の突出片（２ｃ）を嵌入した状態であり、ＬＥＤユニットと２本の端子（２ａ）が平行かつ水平に位置することになる。これにより、ＬＥＤ（５）の光の照射方向は鉛直方向である真下となり、手暗がりとなることなく照明器具としての目的を達成することになる。【００３０】  図７は、反射板（１２ｂ）が山型（逆富士型とも称される）の傾斜面で、蛍光管端部の端子２本が該傾斜面に対して平行になるようにソケット（１２ａ）が配置されている蛍光灯器具（１２）に、蛍光管型ＬＥＤ照明灯の本体（１）を接続した状態を示す図である。図７（Ａ）は、本体（１）と蛍光灯器具（１２）の回転した位置関係を示す図であり、図７（Ｂ）は、端子ケース（３）を内側から見た状態で、端子キャップ（２）の突出片（２ｃ）と端子ケース（３）の凹部の回転した位置関係を示す図である。この図の場合、左側に位置する蛍光管型ＬＥＤ照明灯の本体（１）は、端子ケース（３）の第１凹部（３ｄ）に端子キャップ（２）の突出片（２ｃ）を嵌入した状態であり、ＬＥＤユニットと２本の端子（２ａ）が−３０度回転変位した状態となる。これにより、ＬＥＤ（５）の光の照射方向は鉛直方向である真下となり、照明器具としての目的を達成することになる。また、右側の本体（１）の場合は、端子ケース（３）の第３凹部（３ｆ）に端子キャップ（２）の突出片（２ｃ）を嵌入した状態であり、ＬＥＤユニットと２本の端子（２ａ）が左側とは反転して３０度変位した状態となる。これにより、ＬＥＤ（５）の光の照射方向は鉛直方向である真下となり、手暗がりとなることなく照明器具としての目的を達成することになる。【００３１】  図８は、反射板（１３ｂ）が垂直な壁面と平行で蛍光管端部の端子２本が該反射板（１３ｂ）と平行かつ垂直方向になるようにソケット（１１ａ）が配置されている蛍光灯器具に、蛍光管型ＬＥＤ照明灯の本体（１）を接続した状態を示す図である。図８（Ａ）は、本体（１）と蛍光灯器具（１３）の回転した位置関係を示す図であり、図８（Ｂ）は、端子キャップ（２）の突出片（２ｃ）と端子ケース（３）の凹部の回転した位置関係を示す図である。この図の場合、端子ケース（３）の第４凹部（３ｇ）に端子キャップ（２）の突出片（２ｃ）を嵌入した状態であり、ＬＥＤユニットと２本の端子（２ａ）が９０度変位した状態となる。これにより、ＬＥＤ（５）の光の照射方向は鉛直方向である真下となり、手暗がりとなることなく照明器具としての目的を達成することになる。【００３２】  以上のように、本考案の第１の実施例においては、蛍光管型ＬＥＤ照明灯の本体（１）を構成する端子キャップ（２）の突出片（２ｃ）を、端子ケース（３）に備えられた複数の凹部の内、何れかに選択可能に嵌入するように構成したことにより、蛍光管照明器具のソケットの角度や向きに係わらずＬＥＤから照射される光が鉛直方向である真下を照射するように設定することが可能な蛍光管型ＬＥＤ照明灯を提供することが可能となった。
【実施例２】
【００３３】  図９乃至図１５は、本考案の第２の実施例を示す図である。第２の実施例では前記した第１の実施例の蛍光管型ＬＥＤ照明灯に加えて適用することで、盗難、誤って脱落させること、地震の際の振動での落下を確実に防止して安全性の向上を実現した。【００３４】  図９は、本考案の第２の実施例のロック部材（８）の正面図であり、耐熱性や強度、耐久性、バネ性などに優れたＡＢＳ樹脂などの材質からなる。ロック部材（８）は、円筒または円柱形状の端子キャップ（２）に嵌入装着して使用するために、内径を該端子キャップ（２）と略同一径にしたＣ字状部（８ａ）と、該Ｃ字状部（８ａ）の開放された両端部からその内面側の幅を端子キャップ（２）の直径よりも若干狭く下方に延設した一対の脚部（８ｂ）とからなり、該Ｃ字状部（８ａ）の内面側の頂点には、該端子キャップ（２）の溝（２ｄ）に係合するための一条の凸状部（８ｆ）を備え、該一対の脚部（８ｂ）の端部には水平方向かつ外方に向けてＬ字状に延設した座部（８ｃ）と、その長さ方向の中間には、外方に向けて左右対称に突出させた傾斜部（８ｄ）と顎部（８ｅ）を突出して構成した。【００３５】  図１０は、前記の如く構成されたロック部材（８）の使用状態を示す斜視図で、蛍光管型ＬＥＤ照明灯の本体（１）の両側端部に位置する端子キャップ（２）に嵌入する状態を示している。図１０（Ａ）はロック部材（８）を嵌入装着する前段階、図１０（Ｂ）はロック部材（８）が嵌入装着された状態を示している。端子キャップ（２）にロック部材（８）を嵌入する際、一対の脚部（８ｂ）の内面側の幅は端子キャップ（２）の直径よりも若干狭い状態なので、ロック部材（８）のバネ性により広がりつつ嵌入され、端子キャップ（２）にＣ字状部（８ａ）が完全に嵌入されたとき、広げられた一対の脚部（８ｂ）がもとの幅に復帰することで、ロック部材（８）が端子キャップ（２）から外れないようにロックされる。このとき同時に凸状部（８ｆ）が端子キャップ（２）に備えられた溝（２ｄ）に入り込んで係合することで、後述するように蛍光管型ＬＥＤ照明灯本体（１）が円周方向に回転して外れることを抑止する。また、このように嵌入装着されたロック部材（８）を、手指や一般的なプライヤーなどの工具で取り外すことは困難である。【００３６】  図１１は、図６と同様に反射板（１１ｂ）が天井面と平行で蛍光管端部の端子２本が該反射板（１１ｂ）と平行かつ水平方向になるようにソケット（１１ａ）が配置されている蛍光灯器具（１１）と、接続された蛍光管型ＬＥＤ照明灯の端子キャップ（２）に、ロック部材（８）を嵌入装着した状態を示す図である。ロック部材（８）の凸状部（８ｆ）が端子キャップ（２）の溝（２ｄ）に入り込んで係合するとともに、一対の座部（８ｃ）が蛍光灯器具（１１）の反射板（１１ｂ）に踏ん張って当接することで、蛍光管型ＬＥＤ照明灯の本体（１）が円筒状の端子キャップ（８）の円周方向の回転を抑止して確実にロックする。【００３７】  図１２は、図７と同様に反射板（１２ｂ）が山型（逆富士型とも称される）の傾斜面で、蛍光管端部の端子２本が該傾斜面に対して平行になるようにソケット（１２ａ）が配置されている蛍光灯器具（１２）と接続された��光管型ＬＥＤ照明灯の端子キャップ（２）に、ロック部材（８）を嵌入装着した状態を示す図である。図１１の説明と同様にロック部材（８）の凸状部（８ｆ）が端子キャップ（２）の溝（２ｄ）に入り込んで係合するとともに、一対の座部（８ｃ）が蛍光灯器具（１１）の反射板（１１ｂ）に踏ん張って当接することで、蛍光管型ＬＥＤ照明灯の本体（１）が円筒状の端子キャップ（８）の円周方向の回転を抑止して確実にロックする。【００３８】  図１３は、図８と同様に反射板（１３ｂ）が垂直な壁面と平行で蛍光管端部の端子２本が該反射板（１３ｂ）と平行かつ垂直方向になるようにソケット（１１ａ）が配置されている蛍光灯器具（１３）と接続された蛍光管型ＬＥＤ照明灯の端子キャップ（２）に、ロック部材（８）を嵌入装着した状態を示す図である。図１１及び図１２の説明と同様にロック部材（８）の凸状部（８ｆ）が端子キャップ（２）の溝（２ｄ）に入り込んで係合するとともに、一対の座部（８ｃ）が蛍光灯器具（１１）の反射板（１１ｂ）に踏ん張って当接することで、蛍光管型ＬＥＤ照明灯の本体（１）が円筒状の端子キャップ（８）の円周方向の回転を抑止して確実にロックする。【００３９】  図１４及び図１５は、蛍光灯器具の蛍光管を取り付けるためのソケットの方式を示す図である。蛍光灯器具には、蛍光管を取り付けるためのソケットの方式が大きく分けて２タイプ存在する。図１４は、ソケット部にスプリングが内装されて蛍光管を押し込んで装着するタイプ（押し込み式）、図１５は、蛍光管のガラス管円周方向に回転させて装着するタイプ（回転式）である。これらのタイプは、図１１乃至図１３に示したそれぞれの蛍光灯器具において両タイプ存在する。【００４０】  図１４は、押し込み式の蛍光灯器具に蛍光管型ＬＥＤ照明灯本体（１）とロック部材（８）を装着した状態を示すもので、端子キャップ（２）にロック部材（８）を嵌入装着することで、ソケットと端子ケース（３）との間の移動が制限されることで押し込みが困難となり、蛍光管型ＬＥＤ照明灯の本体（１）を蛍光灯器具から取り外すことができなくなる。これにより盗難や、清掃の際に誤って脱落させたり地震の震動で落下することを確実に防止して安全性の向上を実現した。【００４１】  図１５は、回転式の蛍光灯器具に蛍光管型ＬＥＤ照明灯本体（１）とロック部材（８）を装着した状態を示すもので、端子キャップ（２）にロック部材（８）を嵌入装着することで、ロック部材（８）の凸状部（８ｆ）が端子キャップ（２）の溝（２ｄ）に入り込んで係合するとともに、一対の座部（８ｃ）が蛍光灯器具の反射板に踏ん張って当接することで、蛍光管型ＬＥＤ照明灯の本体（１）を回転させることが困難となり、蛍光管型ＬＥＤ照明灯の本体（１）を蛍光灯器具から取り外すことができなくなる。これにより盗難や、清掃の際に誤って脱落させたり地震の震動で落下することを確実に防止して安全性の向上を実現した。
【実施例３】
【００４２】  図１６乃至図１８は、本考案の第３の実施例を示す図である。第３の実施例では前記した第１の実施例及び第２の実施例に加えて適用することで、端子キャップ（２）に嵌入装着されたロック部材（８）を、簡単に取り外すことを可能として蛍光灯器具や蛍光管型ＬＥＤ照明灯の本体（１）の清掃や修理、交換などメンテナンス性の向上を実現した。【００４３】  図１６は、端子キャップ（２）に嵌入装着されたロック部材（８）を取り外すための取り外し治具（９）正面図である。取り外し治具（９）は耐熱性や強度、耐久性、バネ性などに優れたＡＢＳ樹脂などの材質からなり、手で把持するためのグリップ部（９ａ）と先端の一対のフック部（９ｂ）とからなりバネ性を持って構成される。【００４４】  図１７は、前記の如く構成された取り外し治具（９）の使用状態を示す斜視図である。図１７（Ａ）は取り外し治具（９）をロック部材（８）に差し込む前段階、図１７（Ｂ）は取り外し治具（９）をロック部材（８）に差し込んだ状態を示している。取り外し治具（９）をロック部材（８）に差し込む過程において、一対のフック部（９ｂ）はロック部材（８）の左右両側の傾斜部（８ｄ）に沿って開き、ついには乗り越えてそのバネ性によりもとの幅に復帰して顎部（８ｅ）に係合する。これにより図１８に示す如く上方に引き上げることができ、容易に端子キャップ（２）に嵌入装着されたロック部材（８）を取り外すことが可能となり、蛍光灯器具や蛍光管型ＬＥＤ照明灯本体（１）の清掃や修理、交換などメンテナンス性の向上を実現した。
【符号の説明】
【００４５】  １          蛍光管型ＬＥＤ照明灯本体
２          端子キャップ
２ａ        端子
２ｂ        フランジ
２ｃ        突出片
２ｄ        溝
３          端子ケース
３ａ        中央開孔部
３ｂ        フランジ受部
３ｃ        係合部
３ｄ        第１凹部
３ｅ        第２凹部
３ｆ        第３凹部
３ｇ        第４凹部
３ｈ        ネジ孔
４          透明カバー
５          ＬＥＤ
６          基板
７          金属板
８          ロック部材
８ａ        Ｃ字状部
８ｂ        脚部
８ｃ        座部
８ｄ        傾斜部
８ｅ        顎部
８ｆ        凸条部
９          取り外し治具
９ａ        グリップ部
９ｂ        フック部
１１          蛍光灯器具
１１ａ        ソケット
１１ｂ        反射板
１２          蛍光灯器具
１２ａ        ソケット
１２ｂ        反射板
１３          蛍光灯器具
１３ａ        ソケット
１３ｂ        反射板
【図１】
0003156292.tif 000003
【図２】
0003156292.tif 000004
【図３】
0003156292.tif 000005
【図４】
0003156292.tif 000006
【図５】
0003156292.tif 000007
【図６】
0003156292.tif 000008
【図７】
0003156292.tif 000009
【図８】
0003156292.tif 000010
【図９】
0003156292.tif 000011
【図１０】
0003156292.tif 000012
【図１１】
0003156292.tif 000013
【図１２】
0003156292.tif 000014
【図１３】
0003156292.tif 000015
【図１４】
0003156292.tif 000016
【図１５】
0003156292.tif 000017
【図１６】
0003156292.tif 000018
【図１７】
0003156292.tif 000019
【図１８】
0003156292.tif 000020
【図１９】
0003156292.tif 000021
【図２０】
0003156292.tif 000022
【図２１】
0003156292.tif 000023
【図２２】
0003156292.tif 000024